【手続補正書】
【提出日】平成15年6月11日(2003.6.11)
【手続補正１】
【補正対象書類名】明細書
【補正対象項目名】特許請求の範囲
【補正方法】変更
【補正の内容】
【特許請求の範囲】
【請求項１】
入力ポートと出力ポートと電源ポートを含む少なくとも３つのポートを持つ最終増幅段を含む増幅機器を用いた、可変出力信号を生成する方法において、該方法は、
電源出力の少なくとも一つと、その出力ポートで作られる増幅機器の出力信号の変調特性とを制御するために、増幅機器の電源ポートに印加される信号を変更する段階と、
増幅機器の出力信号の希望する特性に従って、増幅機器の入力ポートに印加される入力信号を、振幅において選択的に変化させる段階と
を備え、
前記最終増幅段は、時間的にかなりの割合の間、線形領域内で動作すること無く、最終増幅段をハードオン状態とハードオフ状態の２つの状態の間で、繰り返して駆動させる駆動信号を持ち、前記最終増幅段は、前記可変出力信号を連続的にあるいは頻繁に測定し帰還調整すること無く制御される
ことを特徴とする方法。
【請求項２】
前記選択的に変化させる段階は、
最終増幅段の出力信号の希望する振幅と、閾値とを比較する段階と、
希望する振幅が閾値よりも小さい時に入力信号の振幅を減らす段階と
を備えることを特徴とする請求項１記載の方法。
【請求項３】
前記閾値は、可変閾値であることを特徴とする請求項２記載の方法。
【請求項４】
前記閾値は、希望する平均出力電力に依存することを特徴とする請求項３記載の方法。
【請求項５】
前記入力信号の振幅を減らす段階は、出力信号の希望する振幅と閾値の比に従って、入力信号を縮小する段階を備えることを特徴とする請求項２記載の方法。
【請求項６】
前記希望する振幅が閾値より大きい時は、入力信号の振幅を所定の値に設定する段階をさらに備えることを特徴とする請求項２記載の方法。
【請求項７】
前記所定の値は、希望する平均出力電力に依存することを特徴とする請求項６記載の方法。
【請求項８】
最終増幅段に印加される入力信号は、入力ポートと出力ポートと電力制御ポートを含む少なくとも３つのポートを持つさらなる増幅段の出力信号として生成されることを特徴とする請求項１記載の方法。
【請求項９】
前記選択的に変化させる段階は、さらなる増幅段の電力制御ポートへ印加される信号を変化させる段階を備えることを特徴とする請求項８記載の方法。
【請求項１０】
前記さらなる増幅段の入力信号は、位相変調されることを特徴とする請求項９記載の方法。
【請求項１１】
増幅装置であって、
入力ポートと出力ポートと電源ポートを含む少なくとも３つのポートを持つ最終増幅段と、
電源出力の少なくとも一つと、その出力ポートで作られる最終増幅段の可変出力信号の変調特性とを制御するために、最終増幅段の電源ポートに印加される信号を変更し、かつ、
最終増幅段の出力信号の希望する特性に従って、最終増幅段の入力ポートに印加される入力信号を、振幅において選択的に変化させる
ための制御回路と
を備え、
前記最終増幅段は、時間的にかなりの割合の間、線形領域内で動作すること無く、最終増幅段をハードオン状態とハードオフ状態の２つの状態の間で、繰り返して駆動させる駆動信号を持ち、前記最終増幅段は、前記可変出力信号を連続的にあるいは頻繁に測定し帰還調整すること無く制御される
ことを特徴とする増幅装置。
【請求項１２】
前記制御回路は、入力ポートと出力ポートと電源ポートを含む少なくとも３つのポートを持つ少なくとも一つのさらなる増幅段を備えることを特徴とする請求項１１記載の装置。
【請求項１３】
前記さらなる増幅段は、位相変調されることを特徴とする請求項１２記載の装置。
【請求項１４】
前記制御回路は、可変電源を備えることを特徴とする請求項１２記載の装置。
【請求項１５】
前記可変電源は、一つあるいは二つ以上の導体に電力を作り出し、前記一つあるいは二つ以上の導体は、前記最終増幅段とさらなる増幅段の電力入力ポートに結合されることを特徴とする請求項１４記載の装置。
【請求項１６】
可変電源の電力レベルを制御するために、電力制御信号に応答する電力制御論理回路を備えることを特徴とする請求項１５記載の装置。
【請求項１７】
一つあるいは二つ以上の電力導体は、最終増幅段の入力ポートと、第１および第２の能動回路を通したさらなる増幅段の入力ポートに、それぞれ結合されることを特徴とする請求項１５記載の装置。
【請求項１８】
前記第１および第２の能動回路を制御するための変調情報に応答する、変調制御論理回路を備えることを特徴とする請求項１７記載の装置。
【請求項１９】
前記変調制御論理回路は、電力制御論理回路からの信号に応答することを特徴とする請求項１８記載の装置。
【請求項２０】
前記変調制御論理回路は、プロセッサ上で実行されるソフトウェアコードを備え、さらに、プロセッサと第１および第２能動回路との間で結合されるインターフェイス回路を備えることを特徴とする請求項１８記載の装置。
【請求項２１】
前記インターフェイス回路は、少なくとも一つのディジタル・アナログ変換器を備えることを特徴とする請求項２０記載の装置。
【請求項２２】
増幅装置であって、
入力ポートと出力ポートと電源ポートを含む少なくとも３つのポートを持つ少なくとも一つの最終増幅段と、
電源出力の少なくとも一つと、その出力ポートで作られる最終増幅段の可変出力信号の変調特性とを制御するために、最終増幅段の電源ポートに印加される信号を変更するための手段と、
最終増幅段の出力信号の希望する特性に従って、最終増幅段の入力ポートに印加される入力信号を、振幅において選択的に変化させるための手段と
を備え、
前記最終増幅段は、時間的にかなりの割合の間、線形領域内で動作すること無く、最終増幅段をハードオン状態とハードオフ状態の２つの状態の間で、繰り返して駆動させる駆動信号を持ち、前記最終増幅段は、前記可変出力信号を連続的にあるいは頻繁に測定し帰還調整すること無く制御される
ことを特徴とする増幅装置。
【請求項２３】
可変出力信号ＲＦ電力増幅器であって、
電圧の或る範囲の中で、電源電圧から多数の電圧を作り出すための、多数の異なる制御信号に応答する制御手段と、
最終増幅段を含み、各々が前記多数の電圧の一つを電源電圧として持つ多数の電力増幅段と
を備え、
前記最終増幅段は、時間的にかなりの割合の間、線形領域内で動作すること無く、最終増幅段をハードオン状態とハードオフ状態の２つの状態の間で、繰り返して駆動させる駆動信号を持ち、前記最終増幅段は、前記可変出力信号を連続的にあるいは頻繁に測定し帰還調整すること無く制御される
ことを特徴とする可変出力信号ＲＦ電力増幅器。
【請求項２４】
前記制御手段は、電力制御とバースト制御と変調との内の少なくとも一つを実行することを特徴とする請求項２２記載の装置。
【請求項２５】
前記制御手段は、電力制御とバースト制御と変調との内の二つ以上を実行することを特徴とする請求項２２記載の装置。
【請求項２６】
前記制御手段は、電力制御とバースト制御と変調とを実行することを特徴とする請求項２２記載の装置。
【請求項２７】
さらに、多数のバイアス制御信号を備え、多数の電力増幅段の各々は、前記バイアス制御信号の一つに応答することを特徴とする請求項２２記載の装置。
【請求項２８】
前記バイアス制御信号の少なくともいくつかは、応答する電力増幅段をオフさせる状態を持っていることを特徴とする請求項２２記載の装置。
【請求項２９】
前記多数の電力増幅段の少なくともいくつかは、段の入力を段の出力に結合するバイパス素子あるいはネットワークと共に提供され、前記バイパス素子あるいはネットワークは、寄生バイパス効果を抑えることを特徴とする請求項２２記載の装置。
【請求項３０】
多段増幅回路を持つＲＦ増幅装置であって、
ＲＦ入力信号を受信するように構成された入力を持つ入力段と、
入力段の出力から、出力信号あるいはその派生物を受信するように構成された入力を持つ中間段と、
ＲＦ出力信号を提供するように構成された出力段と
を備え、
前記出力段は、可変振幅電源電圧を受け取るための電源ポートを持っていることを特徴とするＲＦ増幅装置。
【請求項３１】
前記中間段は、前記可変振幅電源電圧を受け取るように構成される電源ポートを持っていることを特徴とする請求項３０記載のＲＦ増幅装置。
【請求項３２】
前記入力段は、一定振幅電源電圧を受け取るように構成される電源ポートを持っていることを特徴とする請求項３０記載のＲＦ増幅装置。
【請求項３３】
前記入力段は、一定振幅電源電圧を受け取るように構成される電源ポートを持っていることを特徴とする請求項３１記載のＲＦ増幅装置。
【請求項３４】
ＲＦ増幅装置であって、
ＲＦ入力信号を受信するように構成された入力を持つ入力増幅段と、
前記入力増幅段の出力からの信号を受信するように構成された入力と、増幅されたＲＦ出力信号を提供するように構成された出力とを持つ出力増幅段と、
可変振幅電源電圧を前記出力増幅段の電源ポートに提供するように構成された電源レギュレータを持つ電力制御回路と、電力設定入力と電力制御信号を前記電源レギュレータの入力に提供するように構成された出力とを持つ電力レギュレータ制御回路と
を備えることを特徴とするＲＦ増幅装置。
【請求項３５】
前記電力レギュレータ制御回路には、前記電力レギュレータからの帰還信号を受信するように構成された入力を持った演算増幅器が含まれることを特徴とする請求項３４記載のＲＦ増幅装置。
【請求項３６】
前記入力増幅段と出力増幅段との間におかれた中間増幅段を、さらに備え、前記中間増幅段は、可変振幅電源電圧を受信するように構成された電源ポートを持っていることを特徴とする請求項３４記載のＲＦ増幅装置。
【請求項３７】
前記入力増幅段は、一定振幅電源電圧を受け取るように構成された電源ポートを持っていることを特徴とする請求項３４記載のＲＦ増幅装置。
【請求項３８】
前記入力増幅段は、一定振幅電源電圧を受け取るように構成された電源ポートを持っていることを特徴とする請求項３６記載のＲＦ増幅装置。
【請求項３９】
前記入力増幅段は、可変振幅電源電圧を受け取るように構成された電源ポートを持っていることを特徴とする請求項３４記載のＲＦ増幅装置。
【請求項４０】
第２可変振幅電源電圧を前記入力増幅段の電源ポートに提供するように構成された第２電源レギュレータを持つ第２電力制御回路と、電力設定入力と第２電力制御信号を前記第２電源レギュレータの入力に提供するように構成された出力とを持つ第２電力レギュレータ制御回路とを、さらに備えることを特徴とする請求項３４記載のＲＦ増幅装置。
【請求項４１】
前記入力増幅段と出力増幅段との間におかれた中間増幅段を、さらに備え、前記中間増幅段は、可変振幅電源電圧を受け取るように構成された電源ポートを持っていることを特徴とする請求項３５記載のＲＦ増幅装置。
【請求項４２】
前記入力増幅段は、一定振幅電源電圧を受け取るように構成された電源ポートを持っていることを特徴とする請求項３５記載のＲＦ増幅装置。
【請求項４３】
前記入力増幅段は、一定振幅電源電圧を受け取るように構成された電源ポートを持っていることを特徴とする請求項４１記載のＲＦ増幅装置。
【請求項４４】
前記入力増幅段は、可変振幅電源電圧を受け取るように構成された電源ポートを持っていることを特徴とする請求項３５記載のＲＦ増幅装置。
【請求項４５】
第２可変振幅電源電圧を前記入力増幅段の電源ポートに提供するように構成された第２電源レギュレータを持つ第２電力制御回路と、電力設定入力と第２電力制御信号を前記第２電源レギュレータの入力に提供するように構成された出力とを持つ第２電力レギュレータ制御回路とを、さらに備えることを特徴とする請求項３５記載のＲＦ増幅装置。
【請求項４６】
前記第２電力レギュレータ制御回路には、前記第２電力レギュレータからの帰還信号を受信するように構成された入力を持つ演算増幅器が含まれることを特徴とする請求項４５記載のＲＦ増幅装置。